(57)【特許請求の範囲】
【請求項１】
太陽光を受光して発電する複数の太陽電池セルで構成される太陽光発電モジュールを複数接続する配線接続構造において、モジュール本体の一辺に、太陽電池セル列を通る電圧発生配線のプラス側に接続される電圧発生端子とこれに隣接配置されるマイナス側短絡端子とからなる一方の入出力端子を設けると共に、モジュール本体の上記一辺と対向する他辺に、上記電圧発生配線のマイナス側に接続される電圧発生端子とこれに隣接配置されるプラス側短絡端子とからなる他方の入出力端子を設け、上記プラス側短絡端子とマイナス側短絡端子間をモジュール本体内に設けた短絡線を介して電気的に短絡接続し、上記太陽光発電モジュール毎に、入出力端子を構成する電圧発生端子と短絡端子間に交流電流を流して該交流電流の電流量の変化を検知するためのコンデンサやインダクタンスコイルからなる断線検知用回路を設けたことを特徴とする太陽光発電モジュール。
【請求項２】
請求項１記載の太陽光発電モジュールを複数接続して太陽電池アレイが構成され、隣り合う一方の太陽光発電モジュールの入出力端子と他方の太陽光発電モジュールの入出力端子間を接続コネクタを介して相互に連結して電気系列を形成すると共に、当該電気系列のリターン部に位置する入出力端子の電圧発生端子と短絡端子とを端部コネクタを介して電気的に短絡接続してなることを特徴とする太陽光発電モジュールの配線接続構造。
【請求項３】
上記電気系列を複数列設け、隣り合う列の電気系列始端間を列間接続コネクタを用いて相互に連結して複数列の電気系列が電気的直列に接続された太陽電池ストリングを形成することを特徴とする請求項２記載の太陽光発電モジュールの配線接続構造。
【発明の詳細な説明】
【０００１】
【発明の属する技術分野】
本発明は、太陽光を受光することによって電気を発電する太陽光発電モジュールの配線接続構造に関するものである。
【０００２】
【従来の技術】
従来から、屋根上に複数枚並べて設置され、住宅用太陽光発電システムを構成する太陽光発電モジュールは知られている。例えば図１０は従来の段葺きタイプの配線例を示している。図１０中の３０は電力引き出し用の端子ボックスであり、端子ボックス３０の両配線間に整流ダイオード３１を設けることで、太陽光発電モジュール１内の電線断線や影によるホットスポット等の電圧降下、回路遮断を防止している。図１１は従来の太陽光発電モジュール１の配線例を示しており、同図（ａ）は２列の電気系列ｅ，ｅを備えた１６枚置きタイプ、同図（ｂ）は１列の電気系列ｅを備えた８枚置きタイプをそれぞれ示している。また図１２は、複数の太陽光発電モジュール１で構成される太陽電池アレイ１３の切り妻屋根３２への設置例であり、図１３に示す寄せ棟屋根３３への設置例である。
【０００３】
【発明が解決しようとする課題】
ところで、従来は、図示省略した太陽電池セル列を通る電圧発生配線をモジュール外部に引き出して、図１１に示す端子ボックス３０に配線し、さらに専用のコネクタ３５を用いて外部電線ケーブル３６との接続を行なうようにしている。このため、外部電線ケーブル３６を太陽光発電モジュール１毎に設けた１箇所の端子ボックス３０からしか出せなくなり、隣接する他の太陽光発電モジュール１との接続距離が長くなる。そのうえ各電気系列ｅ，ｅ毎に配線をリターンさせるためにジャンプ配線３７を設けなければならない。従って、従来では太陽光発電モジュール１を屋根上に設置施工する際には、外部電線ケーブル３６を連結する作業に手間がかかり、さらに各太陽光発電モジュール１の下側にジャンプ配線３７を配線する作業を必要とする。特に太陽光発電モジュール１を設置する前に、予め、外部電線ケーブル３６を連結すると共にジャンプ配線３７を配線しておく必要があり、このため配線作業を伴う電気工事は複雑化し、各太陽光発電モジュール１を設置する作業も手間取ることになり、費用（材料費と工事費）がかさむという問題がある。そのうえジャンプ配線３７を伴う電気配線が複雑となって、誤配線が発生する恐れがあり、設置施工にも手間取るばかりか、太陽光発電モジュール１の増設も容易にできないという問題もある。
【０００４】
また、太陽光発電モジュール１内で配線の断線等の故障が起こった場合、従来の整流ダイオード３１等による断線検出方法では、電流・電圧の微小な低下しか検出できず、正常なときの電流・電圧が不安定なので判別できなくなる。つまり配線上に流れる電流・電圧だけでは太陽光発電システムのどこで故障が発生しているか検出することができなかった。実際には太陽光発電システムを稼動するまで断線に気が付かず、後で配線をやりなおしせざるを得なくなり、大変な手間がかかってしまうという問題があった。
【０００５】
本発明は、上記の従来例の問題点に鑑みて発明したものであって、その目的とするところは、従来のモジュール外部での配線の煩雑さと施工上での手間を省くと共に、複数の太陽光発電モジュールを接続する場合には、モジュール本体内で折り返し配線を容易に実現でき、これにより、従来のリターン用のジャンプ配線を省略して電気配線を簡略化でき、設置施工の効率化を図ることができる太陽光発電モジュールの配線接続構造を提供することにあり、他の目的とするところは、簡素な回路で容易且つ確実に断線を検知でき、これによりシステム上の故障箇所の検出と補修の手間を省略でき、太陽光発電モジュールの配線接続の信頼性を高めることができる太陽光発電モジュールの配線接続構造を提供することにある。
【０００６】
【課題を解決するための手段】
上記課題を解決するために本発明に係る太陽光発電モジュールの配線接続構造にあっては、太陽光を受光して発電する複数の太陽電池セル３で構成される太陽光発電モジュールを複数接続する配線接続構造において、モジュール本体２の一辺に、太陽電池セル３列を通る電圧発生配線７のプラス側に接続される電圧発生端子８とこれに隣接配置されるマイナス側短絡端子１０とからなる一方の入出力端子４を設けると共に、モジュール本体２の上記一辺と対向する他辺に、上記電圧発生配線７のマイナス側に接続される電圧発生端子９とこれに隣接配置されるプラス側短絡端子１１とからなる他方の入出力端子５を設け、上記プラス側短絡端子１１とマイナス側短絡端子１０間をモジュール本体２内に設けた短絡線１２を介して電気的に短絡接続したことを特徴としており、このように構成することで、モジュール本体２の対向辺にそれぞれ入出力端子４，５を設けたことによって、隣り合う一方の太陽光発電モジュール１の入出力端子４と他方の太陽光発電モジュール１の入出力端子５とを相互に連結する際に最短距離で接続可能となり、外部の配線部材を少なくできる。さらに短絡線１２を太陽光発電モジュール１内に組み込むと共に、この短絡線１２を介して短絡端子１０，１１同士を電気的に短絡接続することで、複数の太陽光発電モジュール１を接続した場合には、モジュール本体２に設けた短絡線１２を利用して折り返し配線を容易に実現でき、従来のようなジャンパー線による折り返し配線が不要となる。
【０００７】
さらに上記太陽光発電モジュール１毎に、入出力端子４（又は５）を構成する電圧発生端子８（又は９）と短絡端子１０（又は１１）間に交流電流を流して該交流電流の電流量の変化を検知するためのコンデンサＣやインダクタンスコイルからなる断線検知用回路を設けたので、配線の断線等の故障がモジュール本体２内で起こった場合、或いは太陽光発電モジュール１間の接続コネクタ１４内で起こった場合のいずれにおいても、各太陽光発電モジュール１毎に設けた断線検知用回路に交流電流を流すことによって、電圧に対して断線検知用回路のキャパシティーの量で電流量が変化し、その電流量を検知することで断線箇所Ｗの特定ができ、太陽光発電システムのどこで故障が発生しているかの検出が容易となる。
【０００８】
また本発明に係る太陽光発電モジュールの配線接続構造にあっては、上記構成の太陽光発電モジュール１を複数接続して太陽電池アレイ１３が構成され、隣り合う一方の太陽光発電モジュール１の入出力端子４と他方の太陽光発電モジュール１の入出力端子５間を接続コネクタ１４を介して相互に連結して電気系列ｅを形成すると共に、当該電気系列ｅのリターン部ｅ２に位置する入出力端子の電圧発生端子８ｂと短絡端子１０ｂとを端部コネクタ１５を介して電気的に短絡接続してなることを特徴としており、このように構成することで、接続コネクタ１４を用いて簡単に太陽光発電モジュール１間を配線接続できることとなり、モジュール外部での配線の煩雑さを無くすことができ、施工上での手間を省くことができると共に、太陽光発電モジュール１の増設も容易となる。さらに短絡線１２をモジュール内に組み込むと共に端部コネクタ１５によって電気系列ｅのリターン部ｅ２をモジュール本体２内部で折り返すことによってリターン配線が一層簡単になり、施工の効率化が図られると共に、モジュール枚数が増えても誤配線を防止できるようになる。さらに従来のようなジャンパー線による折り返し配線が不要となると共に太陽光発電モジュール１設置前にジャンプ配線を予め配線しておく必要もなくなり、施工が一層簡易となる。
【０００９】
また上記電気系列ｅを複数列設け、隣り合う列の電気系列始端ｅ１，ｅ１間を列間接続コネクタ４０を用いて相互に連結することで複数列の電気系列ｅ，ｅ……が電気的直列に接続された太陽電池ストリングＥを形成するのが好ましく、この場合、各電気系列始端ｅ１間を列間接続コネクタ４０を用いて最短距離で接続可能となり、外部の配線部材を一層少なくでき、従って、太陽光発電モジュール１を屋根上に設置施工する際に太陽光発電モジュール１間の通電配線をより簡単に行なうことができる。
【００１０】
【発明の実施の形態】
以下、本発明を添付図面に示す実施形態に基づいて説明する。
【００１１】
図１〜図３は本発明の基本構成を示す。図１（ａ）はモジュール本体２の入出力端子部６が設けられる場所の説明図、同（ｂ）はモジュール本体２の電気回路の説明図、同（ｃ）は太陽光発電モジュール１間を接続コネクタ１４を用いて連結する場合の説明図である。
【００１２】
モジュール本体２内には、図１（ｂ）に示すように、太陽光を受光して発電する複数の太陽電池セル３が並設されている。本例では、モジュール１個につき２つの入出力端子４，５からなる入出力端子部６が設けられている。２つの入出力端子４，５は、モジュール本体２の対向辺端部２ａ，２ｂに配置されている。一方の入出力端子４は、太陽電池セル３列を通る電圧発生配線７のプラス側に接続される電圧発生端子８とこれに隣接配置されるマイナス側短絡端子１０とで構成されており、他方の入出力端子５は、上記電圧発生配線７のマイナス側に接続される電圧発生端子９とこれに隣接配置されるプラス側短絡端子１１とで構成されている。さらにプラス側短絡端子１１とマイナス側短絡端子１０との間は、モジュール本体２内に設けた短絡線１２を介して電気的に短絡接続されている。
【００１３】
さらに、図２、図３に示すように、上記構成の太陽光発電モジュール１を複数接続して太陽電池アレイ１３が構成されている。図２は屋根５１における瓦一体型モジュール内配線の一例を示している。図２中の４０はベアーチップダイオードであり、逆負荷時の逆電流を太陽光発電モジュール１をバイパスさせるための逆流用バイパスダイオードの一種である。
【００１４】
図３（ａ）は、隣り合う一方の太陽光発電モジュール１の入出力端子４と他方の太陽光発電モジュール１の入出力端子５間を接続コネクタ１４を介して相互に連結した場合の一例を示している。接続コネクタ１４は、図３（ｂ）に示すように、２本の電線ケーブル１５ａ，１５ｂの各一端部に第１コネクタ１７、各他端部に第２コネクタ１６が接続されている。第１コネクタ１７はプラス側の電圧発生端子８に接続されるマイナス側端子と、マイナス側短絡端子１０に接続されるプラス側端子とを有している。第２コネクタ１６は、マイナス側の電圧発生端子９に接続されるプラス側端子と、プラス側短絡端子１１に接続されるマイナス側端子とを有しており、この接続コネクタ１４を介して複数の太陽光発電モジュール１が電気的直列に接続された電気系列ｅが形成可能となる。一方、図３（ａ）に示す電気系列ｅのリターン部ｅ２に位置する入出力端子（本例ではプラス側の電圧発生端子８ｂ、マイナス側短絡端子１０ａ）には、端部コネクタ１５が接続される。端部コネクタ１５は、図３（ｃ）に示すように、１本の電線ケーブル１５の両端部にプラス側端子とマイナス側端子とを有するコネクタ１８が接続されたものであり、この端部コネクタ１５を用いることで電気系列ｅが太陽光発電モジュール１内部で折り返されて、従来のようなモジュール外部に配線されるジャンプ配線を用いることなく、電気回路をリターンできるようになっている。
【００１５】
しかして、モジュール本体２の対向辺端部２ａ，２ｂに入出力端子４，５を設けているので、接続コネクタ１４を用いて隣り合う一方の太陽光発電モジュール１の入出力端子４と他方の太陽光発電モジュール１の入出力端子５とを相互に連結でき、１つの電気系列ｅを容易に形成できるようになる。しかも、２つの入出力端子４，５をモジュール本体２の対向辺端部２ａ，２ｂに設けることで、隣り合う太陽光発電モジュール１の一方の入出力端子４と他方の入出力端子５とが近接して並ぶようになり、接続コネクタ１４による誤接続を起こす心配がなく、しかも接続コネクタ１４によって太陽光発電モジュール１の入出力端子４，５間を最短距離で接続できるようになる。これにより、外部の配線部材を少なくできると共に、太陽光発電モジュール１を屋根上に設置施工した後で、接続コネクタ１４を用いて太陽光発電モジュール１間の通電配線を簡単に行なうことができる。
【００１６】
また、上記短絡線１２をモジュール本体２内に組み込み、この短絡線１２を介して短絡端子１０，１１同士を電気的に短絡接続すると共に、電気系列ｅのリターン部ｅ２に位置する入出力端子（本例ではプラス側の電圧発生端子８ｂ、マイナス側短絡端子１０ａ）が端部コネクタ１５を介して電気的に短絡接続される。これにより短絡線１２がリターン配線となるため、配線の簡易化及び誤配線の防止を図りつつ、端部コネクタ１５を利用して電気系列ｅの折り返し配線を行なうことが可能となる。しかもこの短絡線１２はモジュール本体２内に設けられているため、施工の際に邪魔になることもない。この結果、配線作業を伴う電気工事が簡易化し、各太陽光発電モジュール１を設置する作業にかかる手数も大幅に削減できることになる。また、電気配線が簡易となる。そのうえ端部コネクタ１５によって、従来のようなジャンパー線による折り返し配線が不要となるため、太陽光発電モジュール１設置前にジャンプ配線を予め配線しておく必要もなく、施工の効率化が一層図られると共に、各モジュール本体２を順次並べて設置していく作業も効率良く行なわれるようになり、また誤配線を確実に防止でき、配線接続の信頼性をより高めることができると共に、太陽光発電モジュール１の増設も容易となる。
【００１７】
図４は本発明の他の基本構成であり、図３（ａ）に示す電気系列ｅ，ｅ……を複数列設け、列間接続コネクタ４０を用いて各列を相互に連結した場合の一例を示している。接続コネクタ１４及び端部コネクタ１５は図３の例と同様である。本例では隣り合う列の電気系列始端ｅ１，ｅ１間を列間接続コネクタ４０を用いて相互に連結することにより、複数列の電気系列ｅ，ｅ，……が電気的直列に接続された１つの太陽電池ストリングＥを形成している。しかして、各電気系列ｅ毎に電気回路が太陽光発電モジュール１内部で折り返されてリターン配線がされているので、各電気系列ｅ毎に、始端ｅ１とリターン部ｅ２と終端ｅ３とが一目瞭然であり、従って、直列接続時に間違えて次の電気系列ｅまで接続してしまうことがないものとなる。さらに、隣り合う列の始端ｅ１，ｅ１間を列間接続コネクタ４０にて最短距離で連結できるので、外部の配線部材を一層少なくでき、従って、太陽光発電モジュール１を屋根上に設置施工する際に太陽光発電モジュール１間の通電配線をより簡単に行なうことができる。またモジュール枚数が増えても、列間接続コネクタ４０による簡単な配線接続でよいため、配線作業を一層簡易化できるものである。
【００１８】
図５〜図９は本発明の実施形態であり、太陽光発電モジュール１の電気系列ｅの断線箇所Ｗを検出する場合の例を示している。図５は太陽光発電モジュール１毎に電圧発生端子８と短絡端子１０（１１）間にコンデンサＣのような交流電流を流すことができる断線検知用回路を設けた場合の一例を示している。図６、図７は電気系列ｅに直流電流を流した場合を示し、図８は交流電流を流した場合を示している。図８はコンデンサＣを接続コネクタ１４に内蔵した場合の一例を示している。図６に示すように、コンデンサＣには直流電流が流れないため、図７に示すように断線があってもコンデンサＣによる断線検知はできない。一方、コンデンサＣには交流電流が流れるため、図８に示すように、断線箇所Ｗがある場合、断線箇所Ｗよりも交流電流負荷５５（図８）側のコンデンサＣのみに交流電流が流れるようになる。このとき電圧に対してコンデンサＣのキャパシティーの量で電流量が変化し、その電流量を検知することで、断線箇所Ｗを特定することができる。なお、断線検知用回路としては、コンデンサＣに限定されものではなく、交流電流を流すことができるインダクタンスコイル等であってもよい。またコンデンサＣは図５（ｂ）のように太陽光発電モジュール１外部に配置される場合或いは図９のように接続コネクタ１４に内蔵される場合のいずれであってもよい。なお図９中の５０は屋根の隅棟に設置される隅棟部である。
【００１９】
しかして、配線の断線等の故障が仮りにモジュール本体２内で起こった場合でもも、コンデンサＣに交流電流を流すことによって断線箇所Ｗの特定ができるようになり、太陽光発電システムのどこで故障が発生しているかを容易に検出することができる。従って、コンデンサＣを電圧発生端子８と短絡端子１０間に配置するだけの簡素な回路構造でありながら、確実に断線を検知できるので、太陽光発電システム上の故障箇所の検出と補修の手間を省略でき、瓦をめくって断線を補修する作業に手間がかからなくなる。
【００２０】
【発明の効果】
上述のように請求項１記載の発明にあっては、太陽光を受光して発電する複数の太陽電池セルで構成される太陽光発電モジュールにおいて、モジュール本体の一辺に、太陽電池セル列を通る電圧発生配線のプラス側に接続される電圧発生端子とこれに隣接配置されるマイナス側短絡端子とからなる一方の入出力端子を設けると共に、モジュール本体の上記一辺と対向する他辺に、上記電圧発生配線のマイナス側に接続される電圧発生端子とこれに隣接配置されるプラス側短絡端子とからなる他方の入出力端子を設け、上記プラス側短絡端子とマイナス側短絡端子間をモジュール本体内に設けた短絡線を介して電気的に短絡接続したので、モジュール本体の対向辺にそれぞれ入出力端子を設けたことによって、隣り合う一方の太陽光発電モジュールの入出力端子と他方の太陽光発電モジュールの入出力端子とを相互に連結する際には隣り合う太陽光発電モジュールの入出力端子間を最短距離で接続可能となり、外部の配線部材を少なくできる。さらに短絡線を太陽光発電モジュール内に組み込むと共に、この短絡線を介して短絡端子同士を電気的に短絡接続することで、複数の太陽光発電モジュールを接続した場合には、モジュール本体に設けた短絡線を利用して折り返し配線を容易に実現でき、従来のようなジャンパー線による折り返し配線が不要となる。
【００２１】
さらに請求項１記載の発明にあっては、上記太陽光発電モジュール毎に、入出力端子を構成する電圧発生端子と短絡端子間に交流電流を流して該交流電流の電流量の変化を検知するためのコンデンサやインダクタンスコイルからなる断線検知用回路を設けたので、配線の断線等の故障が太陽光発電モジュール内で起こった場合、或いは太陽光発電モジュール間の接続コネクタ内で起こった場合のいずれにおいても、各太陽光発電モジュール毎に設けた断線検知用回路に交流電流を流すことによって、電圧に対して断線検知用回路のキャパシティーの量で電流量が変化し、その電流量を検知することで断線箇所の特定ができ、太陽光発電システムのどこで故障が発生しているかを容易に検出することができる。しかも、断線検知用回路を電圧発生端子と短絡端子間に配置するだけの簡素な回路構造でありながら、確実に断線を検知できるので、太陽光発電システム上の故障箇所の検出と補修の手間を省略でき、太陽光発電モジュールの配線接続を信頼性の高いものとすることができる。
【００２２】
また請求項２記載の発明は、請求項１記載の太陽光発電モジュールを複数接続して太陽電池アレイが構成され、隣り合う一方の太陽光発電モジュールの入出力端子と他方の太陽光発電モジュールの入出力端子間を接続コネクタを介して相互に連結して電気系列を形成すると共に、当該電気系列のリターン部に位置する入出力端子の電圧発生端子と短絡端子とを端部コネクタを介して電気的に短絡接続してなるので、接続コネクタを用いて簡単且つ正確に太陽光発電モジュール間を配線接続できることとなり、モジュール外部での配線の煩雑さを無くすことができ、施工上での手間を省くことができると共に、太陽光発電モジュールの増設も容易となる。さらに短絡線をモジュール内に組み込むと共に端部コネクタによって電気系列を太陽光発電モジュール内部で折り返すことにより、リターン配線が簡単になり、各モジュール本体を順次並べて設置していく作業も効率良く行なわれ、施工の効率化が図られると共に、モジュール枚数が増えても誤配線を防止でき、配線接続の信頼性を高めることができる。さらに従来のようなジャンパー線による折り返し配線が不要となるため、太陽光発電モジュール設置前にジャンプ配線を予め配線しておく必要もなく、施工の効率化が一層図られる。またモジュール枚数が増えても、列間接続コネクタによる簡単な配線接続でよいため、誤配線を防止できると共に、配線接続の信頼性をより高めることができる。
【００２３】
また請求項３記載の発明は、請求項２記載の効果に加えて、上記電気系列を複数列設け、隣り合う列の電気系列始端間を列間接続コネクタを用いて相互に連結することで複数列の電気系列が電気的直列に接続された太陽電池ストリングを形成するので、各電気系列始端を列間接続コネクタを用いて最短距離で接続可能となり、外部の配線部材を一層少なくでき、従って、太陽光発電モジュールを屋根上に設置施工する際に太陽光発電モジュール間の通電配線をより簡単に行なうことができる。
【図面の簡単な説明】
【図１】  本発明の基本構成の一例を示し、（ａ）は入出力端子の配置位置の説明図、（ｂ）はモジュール本体内部の電気回路図、（ｃ）は接続コネクタによる太陽光発電モジュール間の接続状態の説明図である。
【図２】  同上の瓦一体型モジュール内配線の説明図である。
【図３】  （ａ）は同上の複数の太陽光発電モジュールを電気的直列に接続して形成される電気系列の回路図、（ｂ）は接続コネクタの説明図、（ｃ）は端部コネクタの説明図である。
【図４】  同上の複数列の電気系列を電気的直列に接続して形成される太陽電池ストリングの基本構成の説明図である。
【図５】  本発明の実施形態であり、各太陽光発電モジュールにコンデンサを配置した場合の断線検知回路の説明図である。
【図６】  同上の電気系列に直流電流を流した場合の説明図である。
【図７】  同上の電気系列が断線した場合に直流電流を流した場合の説明図である。
【図８】  同上の電気系列が断線した場合にコンデンサに交流電流を流すことにより、断線個所を特定する場合の説明図である。
【図９】  同上のコンデンサを接続コネクタに内蔵した場合の回路構成図である。
【図１０】  従来の太陽電池アレイの説明図である。
【図１１】  （ａ）（ｂ）は従来の太陽光発電モジュール間の配線接続状態の説明図である。
【図１２】  従来の太陽光発電システムの切り妻屋根への設置例の説明図である。
【図１３】  従来の太陽光発電システムの寄せ棟屋根への設置例の説明図である。
【符号の説明】
１  太陽光発電モジュール
２  モジュール本体
３  太陽電池セル
４  一方の入出力端子
５  他方の入出力端子
６  入出力端子部
７  電圧発生配線
８  プラス側電圧発生端子
９  マイナス側電圧発生端子
１０  マイナス側短絡端子
１１  プラス側短絡端子
１２  短絡線
１３  太陽電池アレイ
１４  接続コネクタ
１５  端部コネクタ
４０  列間接続コネクタ
Ｃ  コンデンサ
Ｅ  太陽電池ストリング
ｅ  電気系列
ｅ１  電気系列始端
ｅ２  電気系列のリターン部
【図１】
0004061957.tif 000002
【図２】
0004061957.tif 000003
【図３】
0004061957.tif 000004
【図４】
0004061957.tif 000005
【図５】
0004061957.tif 000006
【図６】
0004061957.tif 000007
【図７】
0004061957.tif 000008
【図８】
0004061957.tif 000009
【図９】
0004061957.tif 000010
【図１０】
0004061957.tif 000011
【図１１】
0004061957.tif 000012
【図１２】
0004061957.tif 000013
【図１３】
0004061957.tif 000014